(57)【要約】【課題】ラックの表面に、当該ラックに搭載されたラックサーバ毎に対応する発光素子を設ける。【解決手段】管理サーバは、当該ラックの監視及び制御を行い、当該ラックのステータス情報を生成する。表示端末は、当該管理サーバにアクセスし、当該ラックのステータス情報と共に、当該ラックの表面に設けられた発光素子と同様の発光パターンを示す発光領域を表示する。ラックに設けられた発光素子によりラック環境やラックサーバの状態が示され、表示端末においてもラックに設けられた発光素子と同様の発光パターンでグラフィック表示されるため、視認性が向上し、状態の把握に要する時間や労力を削減することができる。また、発光素子を照明として使用することで、室内照明に要する消費電力を削減することができる。また、発光素子の発光パターンを一時的に特徴的な発光パターンに変更することで、目的のラックサーバを素早く特定することができる。【選択図】図１
2014007716.tif 000002
【特許請求の範囲】
【請求項１】
搭載されたラックサーバ毎に対応する発光素子が表面に設けられたラックと、
前記ラックの監視及び制御を行い、前記ラックのステータス情報を生成する管理サーバと、
前記管理サーバにアクセスし、前記ステータス情報と共に、前記ラックの表面に設けられた発光素子と同様の発光パターンを示す発光領域を表示する表示端末と
を含む
ラック環境監視システム。
【請求項２】
請求項１に記載のラック環境監視システムであって、
前記管理サーバは、前記表示端末に対する操作に基づいて、前記表示端末に表示された発光領域の発光パターンが変更された場合、前記ラックの表面に設けられた発光素子の発光パターンを同様に変更する
ラック環境監視システム。
【請求項３】
請求項１又は２に記載のラック環境監視システムであって、
前記管理サーバは、前記ラックに搭載されたラックサーバに対する作業が行われる場合、前記表示端末に対する操作に基づいて、該ラックサーバに対応する発光素子の照度を上げて、該発光素子を照明機器として使用する
ラック環境監視システム。
【請求項４】
請求項１乃至３のいずれか一項に記載のラック環境監視システムであって、
前記ラックは、
搭載されたラックサーバ毎に対応するセンサ素子を有し、前記センサ素子を介してラックサーバの状態変化の発生を検知する環境監視部と、
前記ラックの表面に設けられた発光素子を有し、状態変化が発生したラックサーバに対応する発光素子の発光パターンを変更する発光処理部と、
搭載されたラックサーバに給電するための電源タップを有し、状態変化が発生したラックサーバに対応する電源タップの口の出力制御を行う電源部と、
状態変化が発生したラックサーバを変化前の状態に回復させるための環境回復部と、
前記環境監視部、前記発光処理部、前記電源部、及び前記環境回復部の各々と、前記管理サーバとの間の通信を中継し、前記環境監視部、前記発光処理部、前記電源部、及び前記環境回復部の各々に対して通信回線を介して給電するＰｏＥスイッチと
を具備する
ラック環境監視システム。
【請求項５】
請求項４に記載のラック環境監視システムであって、
前記管理サーバは、前記ラックサーバ、前記環境監視部、前記発光処理部、前記発光処理部、前記電源部、及び前記環境回復部の各々の動作を監視し、前記ラックサーバ、前記環境監視部、前記発光処理部、前記電源部、及び前記環境回復部のうち、少なくとも１つの部位に故障が発生した場合、故障が発生した部位に対応する発光素子及び発光領域の発光パターンを、故障の内容に応じた発光パターンに変更する
ラック環境監視システム。
【請求項６】
請求項４又は５に記載のラック環境監視システムであって、
前記管理サーバは、前記環境監視部を介して、前記ラックの環境及び前記ラックサーバの各々の状態を監視し、前記ラックの環境及び前記ラックサーバのうち、少なくとも１つに状態変化が発生した場合、状態変化を検知した箇所に対応する発光素子及び発光領域の発光パターンを、状態変化の内容に応じた発光パターンに変更する
ラック環境監視システム。
【請求項７】
請求項４乃至６のいずれか一項に記載のラック環境監視システムであって、
前記電源タップは、口毎に、出力制御の状況を確認するための複数の発光素子を有する
ラック環境監視システム。
【請求項８】
請求項１乃至７のいずれか一項に記載のラック環境監視システムで使用されるラック。
【請求項９】
管理サーバが、搭載されたラックサーバ毎に対応する発光素子が表面に設けられたラックの監視及び制御を行い、前記ラックのステータス情報を生成するステップと、
表示端末が、前記管理サーバにアクセスし、前記ステータス情報と共に、前記ラックの表面に設けられた発光素子と同様の発光パターンを示す発光領域を表示するステップと
を含む
ラック環境監視方法。
【発明の詳細な説明】
【技術分野】
【０００１】
本発明は、ラック環境監視システムに関し、特に外部からラックサーバの状態を監視するラック環境監視システムに関する。
【背景技術】
【０００２】
現在のインターネットビジネスの世界では、データセンタ（Ｄａｔａ  Ｃｅｎｔｅｒ）等において、顧客のサーバを預かり、インターネットへの接続回線や保守・運用サービス等を提供することが多い。
【０００３】
データセンタは、耐震性に優れたビルに高速な通信回線を引き込んだ施設であり、自家発電設備や高度な空調設備を備え、ＩＤカードによる入退室管理やカメラによる２４時間監視等でセキュリティを確保している。基本的に、サーバの運用は顧客自身が行うが、事業者の中には、停止してないか監視するサービスや、定期バックアップ等の付加サービスを提供しているところもある。
【０００４】
現在、データセンタ等に設置されているサーバは、多くの場合、電子機器収納専用ラック（以下、ラックという。）に積まれたラックマウント型サーバ（以下、ラックサーバという。）である。したがって、データセンタ等におけるサーバの保守・運用といった場合、ラックやラックサーバの保守・運用を意味する。
【０００５】
しかし、一般的には、１台のラックサーバの保守・運用を行う場合でも、データセンタの室内設備（サーバルーム内の照明、電源、空調等）を使用しなければならないため、エネルギー消費における無駄が多い。
【０００６】
また、データセンタ内には無数のラックが存在しており、個々のラック内には多数のラックサーバが設置されていることが多いため、現場において、目的のラックサーバを素早く特定するのは困難である。
【０００７】
なお、関連する技術として、特許文献１（特開２０１２−１０４７８号公報）に電力制御システムが開示されている。この電力制御システムにおいて、ホスト電気装置はＰｏＥ（Ｐｏｗｅｒ  ｏｖｅｒ  Ｅｔｈｅｒｎｅｔ（登録商標））コントローラ、及び、ＰｏＥポートを備えている。この電力制御システムでは、複数のクライアント電気装置を備えたネットワークへの電力供給を制御するように構成可能であり、複数のクライアント電気装置が、ＰｏＥポート経由でホスト電気装置に接続される。
【先行技術文献】
【特許文献】
【０００８】
【特許文献１】特開２０１２−１０４７８号公報
【発明の概要】
【発明が解決しようとする課題】
【０００９】
本発明の目的は、ラックに設けられた発光素子の発光パターンにより、その発光素子に対応するラックサーバの状態を示し、その発光素子と連動して同じ発光パターンとなる発光領域を表示端末に表示するラック環境監視システムを提供することである。
【課題を解決するための手段】
【００１０】
本発明に係るラック環境監視システムは、搭載されたラックサーバ毎に対応する発光素子が表面に設けられたラックと、ラックの監視及び制御を行い、ラックのステータス情報を生成する管理サーバと、管理サーバにアクセスし、ラックのステータス情報と共に、ラックの表面に設けられた発光素子と同様の発光パターンを示す発光領域を表示する表示端末とを含む。
【００１１】
本発明に係るラック環境監視方法では、ラックの表面に、当該ラックに搭載されたラックサーバ毎に対応する発光素子が設けられている。管理サーバは、当該ラックの監視及び制御を行い、ラックのステータス情報を生成する。また、表示端末は、管理サーバにアクセスし、ラックのステータス情報と共に、ラックの表面に設けられた発光素子と同様の発光パターンを示す発光領域を表示する。
【発明の効果】
【００１２】
ラックに設けられた発光素子によりラック環境やラックサーバの状態（温度、湿度、消費電力等）が示され、表示端末においてもラックに設けられた発光素子と同様の発光パターンでグラフィック表示されるため、視認性が向上し、状態の把握に要する時間や労力を削減することができる。また、発光素子を照明として使用することで、室内照明に要する消費電力を削減することができる。また、発光素子の発光パターンを一時的に特徴的な発光パターンに変更することで、目的のラックサーバを素早く特定することができる。
【図面の簡単な説明】
【００１３】
【図１】本発明に係るラック環境監視システムの基本構成例を示す図である。
【図２】本発明に係るラック環境監視システムの概要を示す図である。
【図３】本発明に係るラックの構成例を示す図である。
【図４】本発明の第１実施形態におけるラック環境監視処理について説明するための図である。
【図５】本発明の第２実施形態におけるラック環境監視処理について説明するための図である。
【発明を実施するための形態】
【００１４】
＜実施形態＞
以下に、本発明の実施形態について添付図面を参照して説明する。
【００１５】
［システム構成］
図１を参照して、本発明に係るラック環境監視システムの基本構成例について説明する。
【００１６】
本発明に係るラック環境監視システムは、発光ラック１０と、管理サーバ２０と、表示端末３０を備える。
【００１７】
発光ラック１０は、複数のラックサーバを搭載可能であり、搭載されたラックサーバ毎に対応する発光素子が表面に（ラック外部から視認可能な配置で）設けられている。発光ラック１０は、発光素子の発光色・照度・点滅速度等の変化・違いにより、対応するラックサーバの状態を示す。なお、発光素子は、ＲＧＢ（Ｒｅｄ−Ｇｒｅｅｎ−Ｂｌｕｅ  ｃｏｌｏｒ  ｍｏｄｅｌ）点灯が可能であるものとする。
【００１８】
管理サーバ２０は、発光ラック１０を管理・監視・制御する。なお、管理サーバ２０は、発光ラック１０とネットワークを介して接続されていても良いし、発光ラック１０に搭載されたラックサーバのうちの１台でも良い。また、管理サーバ２０は、固有のサーバではなく、クラウドサービスに対応したクラウドサーバでも良い。
【００１９】
表示端末３０は、管理サーバ２０を介して、発光ラック１０の状態（ステータス）を表示する。ここでは、表示端末３０は、発光ラック１０の表面に設けられた発光素子の状態（ステータス）を示すため、発光ラック１０の表面に設けられた発光素子に対応した発光領域を表示する。発光領域は、「発光ラック１０の表面に設けられた発光素子を模した表示領域」である。発光ラック１０の表面に設けられた発光素子の配置パターン（配列）と、表示端末３０に表示された発光領域の配置パターン（配列）は、基本的に同一であるものとする。また、発光ラック１０の表面に設けられた発光素子と、表示端末３０に表示された発光領域は、連動して同じ発光パターンとなる。無論、発光素子と発光領域とで発光色等を異なるものにすることも可能であるが、少なくとも、発光ラック１０の表面に設けられた発光素子の発光パターンの変化と、表示端末３０に表示された発光領域の発光パターンの変化とは、連動しているものとする。なお、表示端末３０の例として、タブレット（ｔａｂｌｅｔ）端末を想定している。但し、実際には、タブレット端末に限定されない。例えば、ＫＶＭ（キーボード・ビデオ・マウス）、コンソール（ｃｏｎｓｏｌｅ）、タッチパネル（ｔｏｕｃｈ  ｐａｎｅｌ）等でも代用可能である。
【００２０】
［システム概要］
図２を参照して、本発明に係るラック環境監視システムの概要について説明する。ここでは、発光ラック１０は、複数とする。
【００２１】
複数の発光ラック１０の各々は、通常時、自身の表面に設けられた発光素子を３色グラデーション点灯する。
【００２２】
管理サーバ２０は、複数の発光ラック１０の各々の状態（ステータス）を常時監視し、発光ラック１０毎のステータス情報として保持する。
【００２３】
表示端末３０は、複数の発光ラック１０の各々に対応する情報を選択可能な形式で表示し、利用者により複数の発光ラック１０のうちのいずれかが指定された場合、指定された発光ラック１０のステータス情報を表示する。このとき、温度／湿度、消費電力等をグラフ表示しても良い。
【００２４】
管理サーバ２０は、表示端末３０の利用者により指定された発光ラック１０の表面に設けられた発光素子の発光パターンを、３色グラデーション点灯からＲＧＢ点灯／点滅等に変更する。すなわち、管理サーバ２０は、表示端末３０にステータス情報が表示された発光ラック１０の表面に設けられた発光素子の発光パターンを変更する。なお、ＲＧＢ点灯／点滅等の発光色は、その発光素子に対応するラックサーバの状態を示す。
【００２５】
同時に、管理サーバ２０は、表示端末３０にステータス情報の１つとして表示された発光ラック１０の表面に設けられた発光素子に対応した発光領域の発光パターンを、３色グラデーション点灯からＲＧＢ点灯／点滅等に変更する。すなわち、管理サーバ２０は、指定された発光ラック１０の表面に設けられた発光素子の発光パターンに対応するように、表示端末３０に表示された発光領域の発光パターンを変更する。
【００２６】
なお、管理サーバ２０は、表示端末３０の利用者により、表示端末３０に表示された発光領域の発光パターンの設定が変更された場合、同様に、指定された発光ラック１０の表面に設けられた発光素子の発光パターンの設定を変更する。
【００２７】
このように、管理サーバ２０は、表示端末３０に表示された発光領域と、指定された発光ラック１０の表面に設けられた発光素子とを相互連携させる。
【００２８】
なお、管理サーバ２０は、表示端末３０に対する操作に基づいて、表示端末３０に表示された発光領域の発光パターン（発光色・照度・点滅速度等）が変更された場合、発光ラック１０の表面に設けられた発光素子の発光パターンを同様に変更する。例えば、表示端末３０に表示された所定の発光領域の発光パターンを他の発光領域よりも目立つように変更することで、対応する発光ラック１０の表面に設けられた発光素子の発光パターンが他の発光素子よりも目立つように変更されるため、目的とするラックサーバを容易に発見できるようになる。すなわち、表示端末３０に対する操作により、目的とするラックサーバの発見を容易にすることができるようになる。
【００２９】
また、管理サーバ２０は、発光ラック１０に搭載されたラックサーバに対する作業が行われる場合、表示端末３０に対する操作に基づいて、当該ラックサーバに対応する発光素子の照度を上げて、当該発光素子を照明機器として使用する。このとき、当該ラックサーバに対応する発光素子のみ点灯するようにしても良い。これにより、室内照明等を使用することなく、作業対象のラックサーバの近傍の発光素子のみを照明として使用することができ、室内照明等に要する消費電力の削減を図ることができる。
【００３０】
［発光ラックの構成］
図３を参照して、発光ラック１０の構成例について説明する。
【００３１】
発光ラック１０は、ラックサーバ１１と、ＰｏＥスイッチ１２と、環境監視部１３と、発光処理部１４と、電源部１５と、環境回復部１６を備える。
【００３２】
ラックサーバ１１は、発光ラック１０に搭載されたラックサーバである。
【００３３】
ＰｏＥスイッチ１２は、ラックサーバ１１、環境監視部１３、発光処理部１４、電源部１５、及び環境回復部１６の各々と通信回線を介して接続され、これらに対して当該通信回線を用いて給電可能なスイッチである。更に、ＰｏＥスイッチ１２は、管理サーバ２０と接続されている。ＰｏＥスイッチ１２は、ラックサーバ１１、環境監視部１３、発光処理部１４、電源部１５、及び環境回復部１６の各々の状態に関する情報を管理サーバ２０に通知する。また、ＰｏＥスイッチ１２は、管理サーバ２０からの指示を、ラックサーバ１１、環境監視部１３、発光処理部１４、電源部１５、及び環境回復部１６の各々に通知する。
【００３４】
環境監視部１３は、発光ラック１０の内部／周辺の環境の状態変化や、発光ラック１０に搭載されたラックサーバ毎の状態変化を検知する。
【００３５】
発光処理部１４は、発光ラック１０に搭載されたラックサーバ毎に対応する発光素子を発光させ、ラックサーバの状態に合わせて発光パターンを変化させる。
【００３６】
電源部１５は、発光ラック１０に搭載されたラックサーバの各々に給電する。ここでは、電源部１５は、ＰｏＥスイッチ１２とは別に、電源ケーブル等を介して外部電源に接続され、外部電源から受電してラックサーバの各々に給電するものとする。但し、将来的には、電源部１５は、ＰｏＥスイッチ１２のみから給電されていても良い。
【００３７】
環境回復部１６は、発光ラック１０の内部／周辺の環境やラックサーバ１１の状態変化に対処し、発光ラック１０の内部／周辺の環境やラックサーバ１１の状態を回復させる（変化前の状態に戻す／近づける）ための処理を行う。
【００３８】
［環境監視部の詳細］
次に、環境監視部１３の詳細について説明する。
【００３９】
環境監視部１３は、センサ素子制御部１３１と、センサ素子１３２を備える。
【００４０】
センサ素子制御部１３１は、ＰｏＥスイッチ１２に接続されており、ＰｏＥスイッチ１２から給電された電力をセンサ素子１３２に給電する。また、センサ素子制御部１３１は、センサ素子１３２を監視し、センサ素子１３２の状態や、センサ素子１３２が検知した内容に関する情報を、ＰｏＥスイッチ１２を介して管理サーバ２０に通知する。
【００４１】
センサ素子１３２は、少なくともラックサーバ１１毎に設けられている。ここでは、センサ素子１３２は、発光ラック１０の内部／周辺の環境の状態変化や、対応するラックサーバ１１の状態変化を検知する。センサ素子１３２の各々は、デイジーチェーン（ｄａｉｓｙ  ｃｈａｉｎ）接続で、センサ素子制御部１３１に接続されている。更に、ラックサーバ１１毎に設けられたものとは別に、発光ラック１０の内部／周辺の環境を包括的に検知するセンサ素子１３２が、発光ラック１０自体に設けられていても良い。
【００４２】
［発光処理部の詳細］
次に、発光処理部１４の詳細について説明する。
【００４３】
発光処理部１４は、発光素子制御部１４１と、発光素子１４２を備える。
【００４４】
発光素子制御部１４１は、ＰｏＥスイッチ１２に接続されており、ＰｏＥスイッチ１２から給電された電力を発光素子１４２に給電する。また、発光素子制御部１４１は、ラックサーバ１１の状態変化に応じて、対応する発光素子１４２の発光パターンを変更する。なお、発光素子制御部１４１は、ラックサーバ１１の状態変化に関する情報を、ＰｏＥスイッチ１２を介して、管理サーバ２０から受信しても良いし、センサ素子制御部１３１から受信しても良い。また、発光素子制御部１４１は、発光素子１４２を監視し、発光素子１４２の状態を、ＰｏＥスイッチ１２を介して管理サーバ２０に通知する。
【００４５】
発光素子１４２は、少なくともラックサーバ１１毎に設けられている。発光素子１４２は、発光ラック１０の表面に（ラック外部から視認可能な配置で）設けられている。なお、発光素子１４２は、発光ラック１０の複数の面に設けられていても良い。例えば、発光ラック１０の前面及び背面の両面に設けられていても良い。発光素子１４２の各々は、デイジーチェーン接続で、発光素子制御部１４１に接続されている。なお、上記のセンサ素子１３２は、発光素子１４２に対して１対１で（発光素子毎に）設けられていても良い。ここでは、発光素子１４２の例として、ＬＥＤ（Ｌｉｇｈｔ  Ｅｍｉｔｔｉｎｇ  Ｄｉｏｄｅ）を想定している。但し、ＬＥＤは一例に過ぎない。実際には、ＬＥＤに限らず、導電することによって発光する半導体素子であれば良い。例えば、有機ＥＬ（Ｏｒｇａｎｉｃ  ＥｌｅｃｔｒｏＬｕｍｉｎｅｓｃｅｎｃｅ  Ｄｉｓｐｌａｙ）、液晶（Ｌｉｑｕｉｄ  Ｃｒｙｓｔａｌ）・電球（Ｅｌｅｃｔｒｉｃ  Ｌｉｇｈｔ  Ｂｕｌｂ）等が考えられる。発光素子１４２は、ラックサーバ１１に対する作業時の照明設備（室内照明等）として使用することも可能である。
【００４６】
［電源部の詳細］
次に、電源部１５の詳細について説明する。
【００４７】
電源部１５は、電源タップ制御部１５１と、電源タップ１５２を備える。
【００４８】
電源タップ制御部１５１は、ＰｏＥスイッチ１２に接続されており、ＰｏＥスイッチ１２を介して管理サーバ２０やセンサ素子制御部１３１から受信した情報に基づいて、電源タップ１５２を制御することにより、消費電力の調整を行う。ここでは、電源タップ制御部１５１は、電気的に（通電により）、電源タップ１５２の口のＯＮ／ＯＦＦの切替制御、及び／又は、出力制御を行う。また、電源タップ制御部１５１は、電源タップ１５２を監視し、電源タップ１５２の状態を、ＰｏＥスイッチ１２を介して管理サーバ２０に通知する。
【００４９】
電源タップ１５２は、ラックサーバ１１に対して給電する。ここでは、ラックサーバ１１は、１台につき、電源タップ１５２の口の１つに接続されているものとする。なお、上記のセンサ素子１３２は、電源タップ１５２の口に対して１対１で（口毎に）設けられていても良い。
【００５０】
なお、電源タップ１５２は、口毎に、複数の発光素子を有しており、出力制御の状況を確認できる。例えば、２つの発光素子のうち、１つの発光素子は、その口が使用可能か否かを表す。ここでは、電源タップ１５２は、口毎に、遠隔（リモート）操作で／外部からの指示により、使用可否を変更できるものとする。また、もう１つの発光素子は、その口が現在使用中であるか否かを表す。すなわち、その口を使用しているラックサーバ１１が電気を消費しているか否かを表す。無論、口毎に、３つ以上の発光素子を有していても良い。
【００５１】
これらの発光素子は、発光素子１４２と同じく、発光ラック１０の表面に（ラック外部から視認可能な配置で）設けられている。すなわち、電源タップ１５２の口毎の出力制御の状況を確認するために、電源タップ１５２の口毎に複数の発光素子が対応付けられている。また、接続された機器が電力を消費しているか否か、消費電力閾値の設定により発光表示（ＬＥＤ表示や電光表示等）する機能を有する。これにより、駆動中の機器の電源ケーブルの誤挿抜を回避する。この機能は、ＰｏＥスイッチ１２の故障や途中の配線の切断によりネットワーク疎通が絶たれた場合でも独立して機能する。
【００５２】
電源タップ１５２に内蔵されたコントローラは、ＰｏＥスイッチからの給電による駆動と、ＡＣからの給電による駆動に対応する。これらの駆動方式の切り替えは、手動による切り替え又は自動的な切り替えにより行われる。例えば、通常時には手動により切り替え、電源障害時には自動的に切り替える。ＡＣからの給電による駆動の場合は、ＰｌＣ（Ｐｏｗｅｒ  ＬｉｎｅＣｏｍｍｕｎｉｃａｔｉｏｎ）、ＰＬＴ（ＰｏｗｅｒＬｉｎｅＴｅｌｅｃｏｍｕｎｉｃａｔｉｏｎ）若しくはＬ２スイッチ通信により、出力制御の状況を確認することができる。
【００５３】
［環境回復部の詳細］
次に、環境回復部１６の詳細について説明する。
【００５４】
環境回復部１６は、環境回復機構制御部１６１と、環境回復機構１６２を備える。
【００５５】
環境回復機構制御部１６１は、ＰｏＥスイッチ１２に接続されており、ＰｏＥスイッチ１２から給電された電力を環境回復機構１６２に給電する。また、環境回復機構制御部１６１は、発光ラック１０の内部／周辺の環境の状態変化に応じて、対応する環境回復機構１６２の動作（ファンの回転等）を制御する。なお、環境回復機構制御部１６１は、発光ラック１０の内部／周辺の環境の状態変化に関する情報を、ＰｏＥスイッチ１２を介して、管理サーバ２０から受信しても良いし、センサ素子制御部１３１から受信しても良い。また、環境回復機構制御部１６１は、環境回復機構１６２を監視し、環境回復機構１６２の状態を、ＰｏＥスイッチ１２を介して管理サーバ２０に通知する。
【００５６】
環境回復機構１６２は、発光ラック１０の内部／周辺の環境の状態変化に対し、変化前の状態に戻す／近づけるための処理を行う。環境回復機構１６２は、発光ラック１０に対して少なくとも１つ設けられている。なお、環境回復機構１６２は、ラックサーバ１１毎に設けられていても良い。環境回復機構１６２の役割として、主に、温度／湿度の調整を想定している。環境回復機構１６２の例として、ラックファンや、ＣＰＵクーラー、ラジエーター、水冷機構、ヒーター、小型エアコン等のいずれか、又はこれらの組み合わせが考えられる。例えば、ラック内部が高湿度である状況や、ラック内部が０℃以下となる寒冷地においては、ヒーター等により、除湿（湿度調整）や、ラック内部を０℃以上にする温度調整を行うことが考えられる。但し、実際には、これらの例に限定されない。
【００５７】
［管理サーバの詳細］
次に、管理サーバ２０の詳細について説明する。
【００５８】
管理サーバ２０は、発光ラック１０のラックサーバ１１、環境監視部１３、発光処理部１４、電源部１５、及び環境回復部１６の各々の動作を常時監視し、発光ラック１０の内部／周辺の環境や、センサ素子１３２毎に対応するラックサーバ１１の状態や、各部の動作状況を示すステータス情報を生成して記憶する。このとき、管理サーバ２０は、定期的に、ラックサーバ１１、環境監視部１３、発光処理部１４、電源部１５、及び環境回復部１６の各々から、動作状況に関する情報を収集しても良い。無論、ラックサーバ１１、環境監視部１３、発光処理部１４、電源部１５、及び環境回復部１６の各々が、定期的に、動作状況に関する情報を管理サーバ２０に通知するようにしても良い。また、管理サーバ２０は、表示端末３０に表示可能な形式でステータス情報を生成すると好適である。また、管理サーバ２０は、ステータス情報を蓄積し、ステータス情報の変遷を確認するためのログ情報を生成しても良い。
【００５９】
このように、管理サーバ２０は、発光ラック１０のラックサーバ１１、環境監視部１３、発光処理部１４、電源部１５、及び環境回復部１６の各々を介して、ラックサーバ１１を個別に管理することができる。ラックサーバ１１に対する作業が行われる際には、室内設備（サーバルーム内の照明、電源、空調等）を使用せず、作業対象のラックサーバ１１に対応する発光処理部１４、電源部１５、及び環境回復部１６のみを室内設備の代わりに使用して作業を行うことで、室内設備に要する消費電力を削減することができる。
【００６０】
［表示端末の詳細］
次に、表示端末３０の詳細について説明する。
【００６１】
表示端末３０は、管理サーバ２０と接続し、ステータス情報（或いはステータス情報に基づく情報）を表示する。このとき、表示端末３０は、管理サーバ２０にアクセスしてステータス情報を取得しても良いし、管理サーバ２０から通知されたステータス情報を受信しても良い。ここでは、表示端末３０は、ステータス情報を表示する際、その時点における発光ラック１０の表面に設けられた発光素子１４２の発光パターンを再現した形式で表示を行う。
【００６２】
［発光素子及び発光領域の発光パターンの変更］
次に、発光素子及び発光領域の発光パターンの変更例について説明する。
【００６３】
（１）故障が発生した部位の特定
まず、故障が発生した部位の特定するための発光素子及び発光領域の発光パターンの変更例について説明する。
【００６４】
管理サーバ２０は、発光ラック１０のラックサーバ１１、環境監視部１３、発光処理部１４、電源部１５、及び環境回復部１６の各々の動作を常時監視し、ラックサーバ１１、環境監視部１３、発光処理部１４、電源部１５、及び環境回復部１６の各々が正常に稼働しているか確認する。例えば、管理サーバ２０は、ラックサーバ１１、環境監視部１３、発光処理部１４、電源部１５、及び環境回復部１６の各々から定期的に通知を受信しているか、或いは、各々への要求に対して応答を返信してくるか確認する。
【００６５】
管理サーバ２０は、ラックサーバ１１、環境監視部１３、発光処理部１４、電源部１５、及び環境回復部１６のうち、少なくとも１つの部位が正常に稼働していない場合、該当する箇所（正常に稼働していない部位）に対応する発光素子１４２及び発光領域の発光パターンを変更する。なお、発光処理部１４が正常に稼働していない場合には、該当する箇所に対応する発光素子１４２が正常に発光しない可能性があるため、該当する箇所に対応する発光領域のみ発光パターンを変更するようにしても良い。
【００６６】
例えば、管理サーバ２０は、ラックサーバ１１が正常に稼働していないと判断した場合、当該ラックサーバ１１に対応する発光素子１４２及び発光領域を赤色で点滅させる。また、管理サーバ２０は、環境回復部１６が正常に稼働していないと判断した場合、当該環境回復部１６に対応する発光素子１４２及び発光領域を青色で点滅させる。更に、管理サーバ２０は、ラックサーバ１１及び環境回復部１６の両方が正常に稼働していないと判断した場合、当該ラックサーバ１１及び当該環境回復部１６に対応する発光素子１４２及び発光領域を緑色で点滅させる。このように、発光素子１４２及び発光領域の発光パターンにより、正常に稼働していない部位を特定できるようにする。
【００６７】
（２）状態変化を検知した箇所の特定
続いて、状態変化を検知した箇所及び状態変化の内容の特定するための発光素子及び発光領域の発光パターンの変更例について説明する。
【００６８】
管理サーバ２０は、発光ラック１０のラックサーバ１１、環境監視部１３、発光処理部１４、電源部１５、及び環境回復部１６の各々が正常に稼働している場合、環境監視部１３から通知される検知情報を確認し、発光ラック１０の内部／周辺の環境の状態変化や、ラックサーバ１１の状態変化が発生しているか（温度／湿度／消費電力等が所定の閾値以上であるか）確認する。
【００６９】
管理サーバ２０は、環境監視部１３から通知される検知情報に基づいて、発光ラック１０の内部／周辺の環境の状態変化や、ラックサーバ１１の状態変化が発生していると判断した場合（温度／湿度／消費電力等が所定の閾値以上である場合）、当該環境監視部１３に対応する発光素子１４２及び発光領域の発光パターンを変更する。
【００７０】
例えば、管理サーバ２０は、温度が所定の閾値（３５℃、４０℃等）以上である場合、当該環境監視部１３に対応する発光素子１４２及び発光領域を赤色で点灯する。また、管理サーバ２０は、消費電力が所定の閾値（５００Ｗ、１０００Ｗ等）以上である場合、当該環境回復部１６に対応する発光素子１４２及び発光領域を青色で点灯する。更に、管理サーバ２０は、温度及び消費電力の両方が所定の閾値以上である場合、当該環境監視部１３に対応する発光素子１４２及び発光領域を緑色で点灯する。このように、発光素子１４２及び発光領域の発光パターンにより、状態変化を検知した箇所及び状態変化の内容を特定できるようにする。
【００７１】
但し、実際には、上記の例に限定されない。発光素子や発光領域における発光色、点灯／点滅等は、任意に変更可能である。
【００７２】
＜第１実施形態＞
以下に、本発明の第１実施形態について添付図面を参照して説明する。
【００７３】
本実施形態では、管理サーバ２０が発光ラック１０の内部の各装置の動作を制御する。
【００７４】
［第１のラック環境監視処理］
図４を参照して、本実施形態におけるラック環境監視処理について説明する。
【００７５】
（１）ステップＳ１０１
発光ラック１０において、環境監視部１３のセンサ素子制御部１３１は、センサ素子１３２を介して、発光ラック１０の内部／周辺の環境や、センサ素子１３２毎に対応するラックサーバ１１の状態を監視する。
【００７６】
（２）ステップＳ１０２
センサ素子制御部１３１は、センサ素子１３２を介して発光ラック１０の内部／周辺の環境の状態変化やいずれかのセンサ素子１３２に対応するラックサーバ１１の状態変化を検知した場合、ＰｏＥスイッチ１２経由で、センサ素子１３２が検知した内容に応じた検知情報を管理サーバ２０に通知する。
【００７７】
（３）ステップＳ１０３
管理サーバ２０は、発光ラック１０毎に、センサ素子制御部１３１からの検知情報をステータス情報に反映する。すなわち、管理サーバ２０は、センサ素子制御部１３１からの検知情報に応じて、ステータス情報の内容を変更して記憶する。無論、この時点で、新たなステータス情報を生成して記憶しても良い。このとき、管理サーバ２０は、表示端末３０に対して、ステータス情報と共に状態変化発生を通知するようにしても良い。
【００７８】
（４）ステップＳ１０４
表示端末３０は、管理サーバ２０と接続し、変更後のステータス情報（或いはステータス情報に基づく情報）を表示する。このとき、表示端末３０は、管理サーバ２０からステータス情報と共に状態変化発生が通知された場合、指定された発光ラック１０に関係なく、状態変化が発生した発光ラック１０のステータス情報を強制的に表示するようにしても良い。なお、表示端末３０に表示される発光領域の発光パターンは、ステータス情報（或いはステータス情報に基づく情報）の変更と共に、通常時の発光パターンから状態変化発生時の発光パターンに変更される。
【００７９】
（５）ステップＳ１０５
管理サーバ２０は、センサ素子制御部１３１からの検知情報が状態変化発生を示している場合（所定の閾値超過等）、状態変化が発生した発光ラック１０の発光処理部１４、電源部１５、及び環境回復部１６に対する制御情報を生成する。このとき、管理サーバ２０は、検知情報と予め設定された制御条件を比較して、検知情報の内容が制御条件に該当する場合、発光処理部１４、電源部１５、及び環境回復部１６に対する制御情報を生成するようにしても良い。或いは、管理サーバ２０は、変更後のステータス情報（或いはステータス情報に基づく情報）を見た表示端末３０の利用者からの制御指示操作に応じて、発光処理部１４、電源部１５、及び環境回復部１６に対する制御情報を生成するようにしても良い。管理サーバ２０は、生成された制御情報を、状態変化が発生した発光ラック１０に通知する。
【００８０】
（６）ステップＳ１０６
発光処理部１４の発光素子制御部１４１は、管理サーバ２０からの制御情報に基づいて、状態変化が発生したラックサーバ１１に対応する発光素子１４２の発光パターンを変更する。これにより、発光素子１４２の発光パターンは、表示端末３０に表示される発光領域の発光パターンと同様に、通常時の発光パターンから状態変化発生時の発光パターンに変更される。
【００８１】
（７）ステップＳ１０７
電源部１５の電源タップ制御部１５１は、管理サーバ２０からの制御情報に基づいて、電源タップ１５２の口の電力供給のＯＮ／ＯＦＦ（又は電力供給量）を変更する。このとき、電源タップ制御部１５１は、状態変化が発生したラックサーバ１１に対応する電源タップ１５２の口の電力供給のＯＮ／ＯＦＦを変更しても良いし、優先度の低いラックサーバ１１に対応する電源タップ１５２の口の電力供給のＯＮ／ＯＦＦを変更して発光ラック１０全体の消費電力量を調整しても良い。
【００８２】
（８）ステップＳ１０８
環境回復部１６の環境回復機構制御部１６１は、管理サーバ２０からの制御情報に基づいて、発光ラック１０の内部／周辺の環境やラックサーバ１１の状態を回復させる（変化前の状態に戻す／近づける）ため、環境回復機構１６２の動作（ファンの回転等）を変更する。
【００８３】
［備考］
上記の手順により、発光ラック１０の内部／周辺の環境やラックサーバ１１の状態が回復した場合、上記と同様の手順で、状態変化発生時の動作モードから通常時の動作モードに戻ることになる。すなわち、発光ラック１０において、環境監視部１３のセンサ素子制御部１３１は、センサ素子１３２を介して、発光ラック１０の内部／周辺の環境やラックサーバ１１の状態が回復したことを検知し、検知情報を管理サーバ２０に通知する。管理サーバ２０は、検知情報に応じて、状態変化発生時の動作モードから通常時の動作モードに戻すための制御情報を生成し、制御情報を発光ラック１０に通知する。
【００８４】
また、上記の手順では、状態変化発生時について説明しているが、発光ラック１０の内部の装置の故障発生時についても同様である。故障発生時には、管理サーバ２０が、故障した装置に近接した装置の動作を、故障した装置の機能を補うように変更する。すなわち、ラック環境／ラックサーバの状態の維持に要する負荷・資源消費について、装置の故障による不足分を、当該装置に近接した装置により補う。
【００８５】
＜第２実施形態＞
以下に、本発明の第２実施形態について添付図面を参照して説明する。
【００８６】
本実施形態では、管理サーバ２０が発光ラック１０の内部の各装置の動作の結果のみ管理する。
【００８７】
［第２のラック環境監視処理］
図５を参照して、本実施形態におけるラック環境監視処理について説明する。
【００８８】
（１）ステップＳ２０１
発光ラック１０において、環境監視部１３のセンサ素子制御部１３１は、センサ素子１３２を介して、発光ラック１０の内部／周辺の環境や、センサ素子１３２毎に対応するラックサーバ１１の状態を監視する。
【００８９】
（２）ステップＳ２０２
センサ素子制御部１３１は、センサ素子１３２を介して発光ラック１０の内部／周辺の環境の状態変化やいずれかのセンサ素子１３２に対応するラックサーバ１１の状態変化を検知した場合、ＰｏＥスイッチ１２経由で、センサ素子１３２が検知した内容に応じた検知情報を、発光処理部１４、電源部１５、及び環境回復部１６の各々と、管理サーバ２０に通知する。
【００９０】
（３）ステップＳ２０３
発光処理部１４の発光素子制御部１４１は、センサ素子制御部１３１からの検知情報に基づいて、状態変化が発生したラックサーバ１１に対応する発光素子１４２の発光パターンを変更し、変更情報を管理サーバ２０に通知する。これにより、発光素子１４２の発光パターンは、通常時の発光パターンから状態変化発生時の発光パターンに変更される。
【００９１】
（４）ステップＳ２０４
電源部１５の電源タップ制御部１５１は、センサ素子制御部１３１からの検知情報に基づいて、電源タップ１５２の口の電力供給のＯＮ／ＯＦＦ（又は電力供給量）を変更し、変更情報を管理サーバ２０に通知する。このとき、電源タップ制御部１５１は、状態変化が発生したラックサーバ１１に対応する電源タップ１５２の口の電力供給のＯＮ／ＯＦＦを変更しても良いし、優先度の低いラックサーバ１１に対応する電源タップ１５２の口の電力供給のＯＮ／ＯＦＦを変更して発光ラック１０全体の消費電力量を調整しても良い。
【００９２】
（５）ステップＳ２０５
環境回復部１６の環境回復機構制御部１６１は、センサ素子制御部１３１からの検知情報に基づいて、発光ラック１０の内部／周辺の環境やラックサーバ１１の状態を回復させる（変化前の状態に戻す／近づける）ため、環境回復機構１６２の動作（ファンの回転等）を変更し、変更情報を管理サーバ２０に通知する。
【００９３】
（６）ステップＳ２０６
管理サーバ２０は、発光ラック１０毎に、センサ素子制御部１３１からの検知情報と、発光処理部１４、電源部１５、及び環境回復部１６の各々からの変更情報をステータス情報に反映する。すなわち、管理サーバ２０は、検知情報及び変更情報に応じて、ステータス情報の内容を変更して記憶する。無論、この時点で、新たなステータス情報を生成して記憶しても良い。このとき、管理サーバ２０は、表示端末３０に対して、ステータス情報と共に状態変化発生を通知するようにしても良い。
【００９４】
（７）ステップＳ２０７
表示端末３０は、管理サーバ２０と接続し、変更後のステータス情報（或いはステータス情報に基づく情報）を表示する。このとき、表示端末３０は、管理サーバ２０からステータス情報と共に状態変化発生が通知された場合、指定された発光ラック１０に関係なく、状態変化が発生した発光ラック１０のステータス情報を強制的に表示するようにしても良い。なお、表示端末３０に表示される発光領域の発光パターンは、ステータス情報（或いはステータス情報に基づく情報）の変更と共に、通常時の発光パターンから状態変化発生時の発光パターンに変更される。これにより、表示端末３０に表示される発光領域の発光パターンは、発光素子１４２の発光パターンと同じになる。
【００９５】
［備考］
上記の手順により、発光ラック１０の内部／周辺の環境やラックサーバ１１の状態が回復した場合、上記と同様の手順で、状態変化発生時の動作モードから通常時の動作モードに戻ることになる。
【００９６】
また、上記の手順では、状態変化発生時について説明しているが、発光ラック１０の内部の装置の故障発生時についても同様である。故障発生時には、故障した装置に近接した装置が、故障した装置の機能を補うように動作する。
【００９７】
＜本発明の特徴＞
本発明では、ラックの表面に、当該ラックに搭載されたラックサーバ毎に対応する発光素子を設ける。管理サーバは、当該ラックの監視及び制御を行い、当該ラックのステータス情報を生成する。表示端末は、当該管理サーバにアクセスし、当該ラックのステータス情報と共に、当該ラックの表面に設けられた発光素子と同様の発光パターンを示す発光領域を表示する。
【００９８】
ラックに設けられた発光素子によりラック環境やラックサーバの状態（温度、湿度、消費電力等）が示され、表示端末においてもラックに設けられた発光素子と同様の発光パターンでグラフィック表示されるため、視認性が向上し、状態の把握に要する時間や労力を削減することができる。
【００９９】
また、ラックサーバに対する作業時に、当該ラックサーバに対応するように設けられた発光素子やファン等を室内設備の代わりに使用することで、室内設備に要する消費電力を削減することができる。
【０１００】
また、発光素子の発光パターンを一時的に特徴的な発光パターンに変更することで、目的のラックサーバを素早く特定することができる。
【０１０１】
＜各実施形態の関係＞
なお、上記の各実施形態は、組み合わせて実施することも可能である。例えば、第１実施形態に対応した発光ラックと、第２実施形態に対応した発光ラックが混在するシステム構成が考えられる。
【０１０２】
＜ハードウェアの例示＞
以下に、本発明に係るラック環境監視システムを実現するための具体的なハードウェアの例について説明する。
【０１０３】
管理サーバ２０の例として、ＰＣ（パソコン）、アプライアンス（ａｐｐｌｉａｎｃｅ）、シンクライアントサーバ、ワークステーション、メインフレーム、スーパーコンピュータ等の計算機が考えられる。また、管理サーバ２０は、物理マシン上に構築された仮想マシン（ＶＭ：Ｖｉｒｔｕａｌ  Ｍａｃｈｉｎｅ）でも良い。
【０１０４】
表示端末３０の例として、タブレット端末の他にも、ＰＣ（パソコン）、モバイルノートＰＣ、シンクライアント端末、ワークステーション、ＩＰ電話機、携帯電話機、スマートフォン、スマートブック、カーナビ（カーナビゲーションシステム）、携帯型ゲーム機、家庭用ゲーム機、携帯型音楽プレーヤー、ハンディターミナル、ガジェット（電子機器）、双方向テレビ、情報家電（ｉｎｆｏｒｍａｔｉｏｎ  ｈｏｍｅ  ａｐｐｌｉａｎｃｅ）、ＯＡ（Ｏｆｆｉｃｅ  Ａｕｔｏｍａｔｉｏｎ）機器、店頭端末、デジタルサイネージ（Ｄｉｇｉｔａｌ  Ｓｉｇｎａｇｅ：電子看板）等が考えられる。表示端末３０は、車両や船舶、航空機等の移動体に搭載されていても良い。
【０１０５】
図示しないが、ラックサーバ１１、ＰｏＥスイッチ１２、管理サーバ２０、及び表示端末３０の各々は、プログラムに基づいて駆動し所定の処理を実行するプロセッサと、当該プログラムや各種データを記憶するメモリと、ネットワークとの通信に用いられるインターフェースによって実現される。
【０１０６】
上記のプロセッサの例として、ＣＰＵ（Ｃｅｎｔｒａｌ  Ｐｒｏｃｅｓｓｉｎｇ  Ｕｎｉｔ）、ネットワークプロセッサ（ＮＰ：Ｎｅｔｗｏｒｋ  Ｐｒｏｃｅｓｓｏｒ）、マイクロプロセッサ（ｍｉｃｒｏｐｒｏｃｅｓｓｏｒ）、マイクロコントローラ（ｍｉｃｒｏｃｏｎｔｒｏｌｌｅｒ）、或いは、専用の機能を有する半導体集積回路（ＬＳＩ：Ｌａｒｇｅ  Ｓｃａｌｅ  Ｉｎｔｅｇｒａｔｉｏｎ）等が考えられる。
【０１０７】
上記のメモリの例として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やフラッシュメモリ等の半導体記憶装置、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の補助記憶装置、又は、ＤＶＤ（Ｄｉｇｉｔａｌ  Ｖｅｒｓａｔｉｌｅ  Ｄｉｓｋ）等のリムーバブルディスクや、ＳＤメモリカード（Ｓｅｃｕｒｅ  Ｄｉｇｉｔａｌ  ｍｅｍｏｒｙ  ｃａｒｄ）等の記憶媒体（メディア）等が考えられる。また、バッファ（ｂｕｆｆｅｒ）やレジスタ（ｒｅｇｉｓｔｅｒ）等でも良い。或いは、ＤＡＳ（Ｄｉｒｅｃｔ  Ａｔｔａｃｈｅｄ  Ｓｔｏｒａｇｅ）、ＦＣ−ＳＡＮ（Ｆｉｂｒｅ  Ｃｈａｎｎｅｌ  −  Ｓｔｏｒａｇｅ  Ａｒｅａ  Ｎｅｔｗｏｒｋ）、ＮＡＳ（Ｎｅｔｗｏｒｋ  Ａｔｔａｃｈｅｄ  Ｓｔｏｒａｇｅ）、ＩＰ−ＳＡＮ（ＩＰ  −  Ｓｔｏｒａｇｅ  Ａｒｅａ  Ｎｅｔｗｏｒｋ）等を用いたストレージ装置でも良い。
【０１０８】
なお、上記のプロセッサ及び上記のメモリは、一体化していても良い。例えば、近年では、マイコン等の１チップ化が進んでいる。したがって、電子機器等に搭載される１チップマイコンが、上記のプロセッサ及び上記のメモリを備えている事例も考えられる。
【０１０９】
上記のインターフェースの例として、ネットワーク通信に対応した基板（マザーボード、Ｉ／Ｏボード）やチップ等の半導体集積回路、ＮＩＣ（Ｎｅｔｗｏｒｋ  Ｉｎｔｅｒｆａｃｅ  Ｃａｒｄ）等のネットワークアダプタや同様の拡張カード、アンテナ等の通信装置、接続口（コネクタ）等の通信ポート等が考えられる。
【０１１０】
また、ネットワークの例として、インターネット、ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ＷＡＮ（Ｗｉｄｅ  Ａｒｅａ  Ｎｅｔｗｏｒｋ）、バックボーン（Ｂａｃｋｂｏｎｅ）、ケーブルテレビ（ＣＡＴＶ）回線、固定電話網、携帯電話網、ＷｉＭＡＸ（ＩＥＥＥ  ８０２．１６ａ）、３Ｇ（３ｒｄ  Ｇｅｎｅｒａｔｉｏｎ）、専用線（ｌｅａｓｅ  ｌｉｎｅ）、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）、シリアル通信回線、データバス等が考えられる。
【０１１１】
なお、発光ラック１０、管理サーバ２０、及び表示端末３０の各々の内部の構成要素は、モジュール（ｍｏｄｕｌｅ）、コンポーネント（ｃｏｍｐｏｎｅｎｔ）、或いは専用デバイス、又はこれらの起動（呼出）プログラムでも良い。
【０１１２】
但し、実際には、これらの例に限定されない。
【０１１３】
＜備考＞
以上、本発明の実施形態を詳述してきたが、実際には、上記の実施形態に限られるものではなく、本発明の要旨を逸脱しない範囲の変更があっても本発明に含まれる。
【符号の説明】
【０１１４】
１０…  発光ラック
１１…  ラックサーバ
１２…  ＰｏＥスイッチ
１３…  環境監視部
１３１…  センサ素子制御部
１３２…  センサ素子
１４…  発光処理部
１４１…  発光素子制御部
１４２…  発光素子
１５…  電源部
１５１…  電源タップ制御部
１５２…  電源タップ
１６…  環境回復部
１６１…  環境回復機構制御部
１６２…  環境回復機構
２０…  管理サーバ
３０…  表示端末
【図１】
2014007716.tif 000003
【図２】
2014007716.tif 000004
【図３】
2014007716.tif 000005
【図４】
2014007716.tif 000006
【図５】
2014007716.tif 000007